(57)【要約】    【課題】  カラビナによりホルダー本体を保持する構成の工具ホルダーにおいて、ホルダー本体が回転することを防止し、作業性を向上させることができる工具ホルダーを提供する。    【解決手段】  カラビナ11の内側面に、帯状部材10の幅と略同一の幅を有する平坦部12を形成した。また、平坦部12の両端に、帯状部材10の両端が嵌合する凹部13，14を形成した。さらに、カラビナ11を、平坦部12の近傍以外の部分よりも平坦部12の近傍において薄く形成した。ホルダー本体の重さによってカラビナ取付け部９が細く変形することが防止され、帯状部材10が平坦部12から外れることが防止されるので、ホルダー本体が回転することを防止し、作業性を向上させることができる工具ホルダーを提供することができる。    【選択図】  図３
0003105802.tif 000002
【実用新案登録請求の範囲】
【請求項１】
ホルダー本体と、このホルダー本体を保持するカラビナと、前記ホルダー本体と一体に設けられ前記カラビナが取り付けられるカラビナ取付け部とを備えるとともに、前記カラビナ取付け部が２つに折り曲げられ両端が前記ホルダー本体に固定された可撓性を有する帯状部材によって形成された工具ホルダーにおいて、前記カラビナの内側面に、前記帯状部材の幅と略同一の幅を有する平坦部が形成されたことを特徴とする工具ホルダー。
【請求項２】
前記平坦部の両端に、前記帯状部材の両端が嵌合する凹部が形成されたことを特徴とする請求項１記載の工具ホルダー。
【請求項３】
前記カラビナは、前記平坦部の近傍以外の部分よりも前記平坦部の近傍において薄く形成されたことを特徴とする請求項１または２記載の工具ホルダー。
【請求項４】
前記ホルダー本体は、上面が開口した容器状の収納部と、この収納部の上部を開閉自在に覆う蓋部とを備え、前記蓋部は前記収納部の後面から上方に延設し、前記蓋部を前方へ折り曲げたときに前記収納部の上面が前記蓋部によって覆われるように構成されるとともに、前記蓋部に第１の固定手段、前記収納部の後面に第２の固定手段が設けられ、前記蓋部を後方へ折り曲げて前記第１の固定手段と前記第２の固定手段とを連結したときに前記収納部の後面と前記蓋部によってベルト通し部が形成されるように構成されたことを特徴とする請求項１〜３のいずれか１項記載の工具ホルダー。
【請求項５】
前記蓋部の前記収納部の上面を覆う部分に工具保持手段が設けられ、前記蓋部を前方へ折り曲げたときに前記工具保持手段が前記収納部に収納されるように構成されるとともに、前記蓋部を後方へ折り曲げて前記第１の固定手段と前記第２の固定手段とを連結したときに前記蓋部の前記工具保持手段が設けられた部分と前記収納部の後面とが略同一平面となるように構成されたことを特徴とする請求項４記載の工具ホルダー。
【考案の詳細な説明】
【技術分野】
【０００１】
本考案は、工具類などを腰に吊り下げたり、持ち運んだりするための工具ホルダーに関する。
【背景技術】
【０００２】
従来の工具ホルダーとしては、袋状の収納部を設けたホルダー本体をベルトなどに装着して、腰に吊り下げて使用するものが主流である。そして、ホルダー本体を腰に吊り下げる手段として、ホルダー本体にベルト通し部を備えたもの（例えば、特許文献１を参照）や、登山用の留め金具として知られているカラビナを備えたものなどが知られている。
【０００３】
図７、図８に、工具ホルダーを吊り下げる手段としてカラビナを備えた従来の工具ホルダーの一例を示す。51は布製のホルダー本体であって、上面が開口した容器状の収納部52と、この収納部52の上部を開閉自在に覆う蓋部53とを備えている。54はホルダー本体51を保持するカラビナであって、このカラビナ54はホルダー本体51と一体に設けられたカラビナ取付け部55を介して、ホルダー本体51に取り付けられている。なお、カラビナ取付け部55は、２つに折り曲げられ両端がホルダー本体51に固定された帯状の布材によって形成されている。
【０００４】
ところで、このような従来の工具ホルダーにおいて、カラビナ取付け部55に取り付けられたカラビナ54の拡大図を図９に示すが、カラビナ取付け部55が帯状の布材によって形成されているため、図示したようにカラビナ54の細い部分に接した場合に、ホルダー本体51の重さによってカラビナ取付け部55が細く変形しやすくなっていた。カラビナ取付け部55が細く変形すると、カラビナ54とカラビナ取付け部55とが接する部分を中心に、ホルダー本体51が回転しやすくなる。そして、ホルダー本体51が回転してホルダー本体51の前後が反対になった場合には、蓋部53の開閉などに支障が生じて工具の出し入れがしにくくなるため、ホルダー本体51を正しい向きに戻さなければならず、このため作業性が非常に低下するといった問題があった。
【特許文献１】登録実用新案第３０９１６０１号公報
【考案の開示】
【考案が解決しようとする課題】
【０００５】
本考案は係る課題に鑑みてなされたものであり、カラビナによりホルダー本体を保持する構成の工具ホルダーにおいて、ホルダー本体が回転することを防止し、作業性を向上させることができる工具ホルダーを提供することを目的とする。
【課題を解決するための手段】
【０００６】
本考案の請求項１記載の工具ホルダーは、ホルダー本体と、このホルダー本体を保持するカラビナと、前記ホルダー本体と一体に設けられ前記カラビナが取り付けられるカラビナ取付け部とを備えるとともに、前記カラビナ取付け部が２つに折り曲げられ両端が前記ホルダー本体に固定された可撓性を有する帯状部材によって形成された工具ホルダーにおいて、前記カラビナの内側面に、前記帯状部材の幅と略同一の幅を有する平坦部が形成されたことを特徴とする。
【０００７】
本考案の請求項２記載の工具ホルダーは、請求項１において、前記平坦部の両端に、前記帯状部材の両端が嵌合する凹部が形成されたことを特徴とする。
【０００８】
本考案の請求項３記載の工具ホルダーは、請求項１または２において、前記カラビナは、前記平坦部の近傍以外の部分よりも前記平坦部の近傍において薄く形成されたことを特徴とする。
【０００９】
本考案の請求項４記載の工具ホルダーは、請求項１〜３のいずれか１項において、前記ホルダー本体は、上面が開口した容器状の収納部と、この収納部の上部を開閉自在に覆う蓋部とを備え、前記蓋部は前記収納部の後面から上方に延設し、前記蓋部を前方へ折り曲げたときに前記収納部の上面が前記蓋部によって覆われるように構成されるとともに、前記蓋部に第１の固定手段、前記収納部の後面に第２の固定手段が設けられ、前記蓋部を後方へ折り曲げて前記第１の固定手段と前記第２の固定手段とを連結したときに前記収納部の後面と前記蓋部によってベルト通し部が形成されるように構成されたことを特徴とする。
【００１０】
本考案の請求項５記載の工具ホルダーは、請求項４において、前記蓋部の前記収納部の上面を覆う部分に工具保持手段が設けられ、前記蓋部を前方へ折り曲げたときに前記工具保持手段が前記収納部に収納されるように構成されるとともに、前記蓋部を後方へ折り曲げて前記第１の固定手段と前記第２の固定手段とを連結したときに前記蓋部の前記工具保持手段が設けられた部分と前記収納部の後面とが略同一平面となるように構成されたことを特徴とする。
【考案の効果】
【００１１】
本考案の請求項１記載の工具ホルダーによれば、カラビナの内側面に、カラビナ取付け部を形成する帯状部材の幅と略同一の幅を有する平坦部が形成されたことによって、ホルダー本体の重さによってカラビナ取付け部が細く変形することが防止されるので、ホルダー本体が回転することを防止し、作業性を向上させることができる工具ホルダーを提供することができる。
【００１２】
本考案の請求項２記載の工具ホルダーによれば、平坦部の両端に、帯状部材の両端が嵌合する凹部が形成されたことによって、帯状部材が平坦部から外れることが防止されるので、より確実にホルダー本体が回転することを防止することができる。
【００１３】
本考案の請求項３記載の工具ホルダーによれば、カラビナは、平坦部の近傍以外の部分よりも平坦部の近傍において薄く形成されたことによって、帯状部材が平坦部の近傍からそれ以外の部分に移動しにくくなり、帯状部材が平坦部から外れることが防止されるので、より確実にホルダー本体が回転することを防止することができる。
【００１４】
本考案の請求項４記載の工具ホルダーによれば、蓋部を後方へ折り曲げて第１の固定手段と第２の固定手段とを連結したときに収納部の後面と蓋部によってベルト通し部が形成されるように構成されたことによって、ホルダー本体を保持する手段としてカラビナとベルト通し部のいずれかを選択することによって、収納部の上面が閉じた状態と開いた状態のいずれかの使用状態を選択することができ、より使い易い工具ホルダーを提供することができる。
【００１５】
本考案の請求項５記載の工具ホルダーによれば、蓋部を前方へ折り曲げたときに工具保持手段が収納部に収納されるように構成されたことによって、収納部の上面が閉じた状態で工具保持手段が邪魔になることなく、美観に優れた工具ホルダーを提供することができる。また、蓋部を後方へ折り曲げて第１の固定手段と第２の固定手段とを連結したときに蓋部の工具保持手段が設けられた部分と収納部の後面とが略同一面となるように構成されたことによって、収納部の上面が開いた状態で工具保持手段に工具を保持させることができ、より使い易い工具ホルダーを提供することができる。
【考案を実施するための最良の形態】
【００１６】
以下、本考案について添付図面に基づき詳細に説明する。
【実施例１】
【００１７】
図１〜図６は、本考案の工具ホルダーの一実施例を示すものであり、１は化学繊維製の布材からなるホルダー本体である。このホルダー本体１は、上面が開口した略直方体形状の容器状に形成され、工具や小物などを収納するための収納部２と、この収納部２の上部を開閉自在に覆う蓋部３とを備えている。また、蓋部３は収納部２の後面４から上方に延設し、蓋部３を収納部２の上端から前方へ折り曲げたときに収納部２の上面が蓋部３によって覆われるように構成されている。
【００１８】
収納部２の前面５には、面状ファスナー６が設けられており、この面状ファスナー６は、蓋部３の先端部近傍に設けられた面状ファスナー７と着脱可能になっている。そして、収納部２の上面を蓋部３で覆ったときに蓋部３の先端部を収納部２の前面５に固定して、収納部２の上面を閉じた状態に保持できるようになっている。
【００１９】
また、収納部２の後面４の上部には、帯状の化学繊維性の布材からなるベルト通し部材８が収納部２と一体に設けられ、ホルダー本体１の一部を構成している。さらに、このベルト通し部材８の上部には、カラビナ取付け部９が設けられている。このカラビナ取付け部９は、可撓性を有する化学繊維製の布材からなる帯状部材10を２つに折り曲げ、その両端をベルト通し部材８の上部に固定することによって形成されている。なお、カラビナ取付け部９は、ベルト通し部材８を介せずに、収納部２の後面４に直接固定されてもよい。
【００２０】
11は、ホルダー本体１を保持するカラビナである。このカラビナ11はカラビナ取付け部９に取り付けられ、さらに、このカラビナ11を使用者の腰ベルトなどに取り付けることによって、ホルダー本体１を吊り下げて保持できるようになっている。
【００２１】
カラビナ11の内側面には、帯状部材10の幅と略同一の幅を有する平坦部12が形成されており、この平坦部12に帯状部材10が位置するようになっている。また、平坦部12の両端には、帯状部材10の両端が嵌合する凹部13，14が形成されており、帯状部材10が平坦部12から外れにくく、かつ変形しにくい構成となっている。さらに、カラビナ11は、平坦部12の近傍以外の部分よりも平坦部12の近傍において薄く形成されている。
【００２２】
蓋部３の上端近傍には第１の固定手段15、収納部２の後面４には第２の固定手段16が設けられている。この第１の固定手段15は、帯状部材17から構成されており、この帯状部材17は、一端が蓋部３に固定されており、他端が図示しない面状ファスナーにより一端側に着脱可能に構成されている。また、第２の固定手段16は、収納部２の後面に取り付けられたリング状部材18から構成されている。そして、これら第１の固定手段15，第２の固定手段16は、蓋部３を後方へ折り曲げ、帯状部材17をリング状部材18に挿通し、帯状部材17の両端を固定することで相互に連結されるようになっている。また、第１の固定手段15，第２の固定手段16を連結することで、収納部２の後面４と蓋部３によってベルト通し部19が形成されるようになっている。
【００２３】
蓋部３の収納部２の上面を覆う部分には、工具保持手段20が設けられている。そして、蓋部３を前方へ折り曲げたときに、工具保持手段20が収納部２に収納されるように構成されている。また、蓋部３を後方へ折り曲げて第１の固定手段15と第２の固定手段16とを連結したときに、蓋部３の工具保持手段20が設けられた部分と収納部２の後面４とが略同一平面となるように構成されている。したがって、蓋部３を後方へ折り曲げて第１の固定手段15と第２の固定手段16とを連結したときに、工具保持手段20は蓋部３の前面側に位置するようになっている。なお、工具保持手段20は、両端が蓋部３に固定されて略リング状に形成されており、収納部２の上面を開放した状態で、上方からドライバーなどの工具を挿通できるようになっている。なお、工具保持手段20よりも小さい工具を挿通した場合においても、工具保持手段20と収納部２の底面とで工具を保持できるようになっている。
【００２４】
このほか、収納部２には、複数の収納ポケット21，22，23が備えられている。
【００２５】
つぎに、前記構成につきその作用について説明する。まず、装着する際にはカラビナ11をベルトなどに挿通することにより、使用者の腰部に装着する。そして、工具類などを収納部２や収納ポケット21，22，23に収納するとともに、必要に応じてこれら収納部２や収納ポケット21，22，23に収納した工具類などを取り出して使用することができる。
【００２６】
このとき、カラビナ11によって保持されるカラビナ取付け部９を形成する帯状部材10には、ホルダー本体１及び工具類の重さによって下方に力が働くが、カラビナ11に形成された平坦部12によって帯状部材10に均一に力がかかるため、帯状部材10が幅方向に細く変形することがない。したがって、帯状部材10の変形によるホルダー本体１の回転が防止される。また、平坦部12の両端に形成された凹部13，14に、帯状部材10の両端が嵌合するので、帯状部材10は平坦部12から外れにくい。さらに、カラビナ11は、平坦部12の近傍以外の部分よりも平坦部12の近傍において薄く形成され、帯状部材10は平坦部12から平坦部12の近傍以外の部分に移動しにくくなっているため、帯状部材10が平坦部12から外れることが防止され、より確実にホルダー本体１が回転することが防止される。
【００２７】
また、カラビナ11をベルトなどから外した状態で、蓋部３を後方へ折り曲げて第１の固定手段15と第２の固定手段16とを連結すると、収納部２の後面４と蓋部３によってベルト通し部19が形成される。このベルト通し部19をベルトに通して使用者の腰にホルダー本体１を保持することができる。また、このとき、蓋部３の工具保持手段20が設けられた部分と収納部２の後面４とが略同一面となり、工具保持手段20は蓋部３の前面側に位置するので、収納部２の上面が開いた状態で上方から工具を工具保持手段20に挿通し、工具を保持させることができる。
【００２８】
また、蓋部３を前方へ折り曲げて蓋部３で収納部２の上面を塞いだときに、工具保持手段20は収納部２に収納される。したがって、収納部２の上面が閉じた状態で工具保持手段20が邪魔になることなく、美観に優れる。
【００２９】
このように、ホルダー本体１を保持する手段としてカラビナ11とベルト通し部19のいずれかを選択することによって、収納部２の上面が閉じた状態と開いた状態のいずれかの使用状態を選択することができる。
【００３０】
以上詳述したとおり、上記実施例の工具ホルダーは、請求項１に対応して、ホルダー本体１と、このホルダー本体１を保持するカラビナ11と、前記ホルダー本体１と一体に設けられ前記カラビナ11が取り付けられるカラビナ取付け部９とを備えるとともに、前記カラビナ取付け部９が２つに折り曲げられ両端が前記ホルダー本体１に固定された可撓性を有する帯状部材10によって形成された工具ホルダーにおいて、前記カラビナ11の内側面に、前記帯状部材10の幅と略同一の幅を有する平坦部12が形成されたものであるので、ホルダー本体１の重さによってカラビナ取付け部９が細く変形することが防止されるので、ホルダー本体１が回転することを防止し、作業性を向上させることができる工具ホルダーを提供することができる。
【００３１】
また、請求項２に対応して、前記平坦部12の両端に、前記帯状部材10の両端が嵌合する凹部13，14が形成されたものであるので、帯状部材10が平坦部12から外れることが防止されるので、より確実にホルダー本体１が回転することを防止することができる。
【００３２】
また、請求項３に対応して、前記カラビナ11は、前記平坦部12の近傍以外の部分よりも前記平坦部12の近傍において薄く形成されたものであるので、帯状部材10が平坦部12の近傍からそれ以外の部分に移動しにくくなり、帯状部材10が平坦部12から外れることが防止されるので、より確実にホルダー本体１が回転することを防止することができる。
【００３３】
また、請求項４に対応して、前記ホルダー本体１は、上面が開口した容器状の収納部２と、この収納部２の上部を開閉自在に覆う蓋部３とを備え、前記蓋部３は前記収納部２の後面４から上方に延設し、前記蓋部３を前方へ折り曲げたときに前記収納部２の上面が前記蓋部３によって覆われるように構成されるとともに、前記蓋部３に第１の固定手段15、前記収納部２の後面４に第２の固定手段16が設けられ、前記蓋部３を後方へ折り曲げて前記第１の固定手段15と前記第２の固定手段16とを連結したときに前記収納部２の後面４と前記蓋部３によってベルト通し部19が形成されるように構成されたものであるので、ホルダー本体１を保持する手段としてカラビナ11とベルト通し部19のいずれかを選択することによって、収納部２の上面が閉じた状態と開いた状態のいずれかの使用状態を選択することができ、より使い易い工具ホルダーを提供することができる。
【００３４】
さらに、請求項５に対応して、前記蓋部３の前記収納部２の上面を覆う部分に工具保持手段20が設けられ、前記蓋部３を前方へ折り曲げたときに前記工具保持手段20が前記収納部２に収納されるように構成されるとともに、前記蓋部３を後方へ折り曲げて前記第１の固定手段15と前記第２の固定手段16とを連結したときに前記蓋部３の前記工具保持手段20が設けられた部分と前記収納部２の後面４とが略同一平面となるように構成されたものであるから、収納部２の上面が閉じた状態で工具保持手段20が邪魔になることなく、美観に優れた工具ホルダーを提供することができる。また、収納部２の上面が開いた状態で工具保持手段20に工具を保持させることができ、より使い易い工具ホルダーを提供することができる。
【００３５】
以上、本考案の工具ホルダーについて前記実施例を参照して説明してきたが、本考案は、前記実施例に限られるものではなく、本考案の思想の範囲内で種々の変形実施が可能である。例えば、ホルダー本体の形状は上記の形状に限定されず、種々の形状であってもよい。
【図面の簡単な説明】
【００３６】
【図１】本考案の一実施例の工具ホルダーを示す後面側から見た全体斜視図である。
【図２】同上前面側から見た全体斜視図である。
【図３】同上カラビナ付近の拡大斜視図である。
【図４】同上カラビナの拡大斜視図である。
【図５】同上工具ホルダーの使用状態の一例を示す後面側から見た全体斜視図である。
【図６】同上前面側から見た全体斜視図である。
【図７】従来例を示す後面側から見た全体斜視図である。
【図８】同上前面側から見た全体斜視図である。
【図９】同上カラビナ付近の拡大斜視図である。
【符号の説明】
【００３７】
１  ホルダー本体
２  収納部
３  蓋部
４  後面
９  カラビナ取付け部
10  帯状部材
11  カラビナ
12  平坦部
13，14  凹部
15  第１の固定手段
16  第２の固定手段
19  ベルト通し部
20  工具保持手段
【図１】
0003105802.tif 000003
【図２】
0003105802.tif 000004
【図３】
0003105802.tif 000005
【図４】
0003105802.tif 000006
【図５】
0003105802.tif 000007
【図６】
0003105802.tif 000008
【図７】
0003105802.tif 000009
【図８】
0003105802.tif 000010
【図９】
0003105802.tif 000011